(57)【要約】【課題】ユーザが操作画像を操作する際の利便性を向上させる、医療用診療装置を提供する。【解決手段】診療機器を操作するための操作画像を表示する操作モニタ９と、操作モニタ９とは異なる位置に設けられかつ当該操作モニタ９よりも表示領域が大きい表示モニタ６と、操作モニタ９に表示された操作画像とは異なる画像であって当該操作画像に関連した関連画像を表示モニタ６に表示させるメイン制御部１２とを備えることによって、ユーザが操作画像を操作する際の利便性を向上させる。【選択図】図６
2018061690.tif 000002
【特許請求の範囲】
【請求項１】
診療機器を操作するための操作画像を表示する第１表示部と、
前記第１表示部とは異なる位置に設けられかつ当該第１表示部よりも表示領域が大きい第２表示部と、
前記第１表示部に表示された前記操作画像とは異なる画像であって当該操作画像に関連した関連画像を前記第２表示部に表示させる表示制御部とを備える、医療用診療装置。
【請求項２】
前記関連画像は、前記第１表示部に表示された前記操作画像に関連した詳細情報を含む画像である、請求項１に記載の医療用診療装置。
【請求項３】
前記表示制御部は、前記第１表示部に表示された前記操作画像に対するユーザの操作に応じて前記第２表示部に表示された前記関連画像を切り替える、請求項１または請求項２に記載の医療用診療装置。
【請求項４】
前記表示制御部は、選択された前記診療機器の種類に応じて前記第２表示部に表示された前記関連画像を切り替える、請求項１〜請求項３のいずれか１項に記載の医療用診療装置。
【請求項５】
前記関連画像は、ユーザが前記操作画像を操作する際に必要な情報を含む画像である、請求項１〜請求項４のいずれか１項に記載の医療用診療装置。
【請求項６】
前記操作画像は、前記診療機器の機能を設定する際にユーザによって操作される画像であり、
前記関連画像は、ユーザが前記診療機器の機能を設定する際に必要な情報を含む画像である、請求項１〜請求項５のいずれか１項に記載の医療用診療装置。
【請求項７】
前記操作画像は、前記診療機器を手入れする際にユーザによって操作される画像であり、
前記関連画像は、ユーザが前記診療機器を手入れする際に必要な情報を含む画像である、請求項１〜請求項６のいずれか１項に記載の医療用診療装置。
【請求項８】
前記表示制御部は、ユーザによる前記診療機器の手入れ作業が進む度に前記第２表示部に表示された前記関連画像を切り替える、請求項７に記載の医療用診療装置。
【請求項９】
前記操作画像は、異常が発生した際にユーザによって操作される画像であり、
前記関連画像は、ユーザに異常の発生を知らせる情報を含む画像である、請求項１〜請求項８のいずれか１項に記載の医療用診療装置。
【請求項１０】
前記操作画像は、外部からの情報を取得する際にユーザによって操作される画像であり、
前記関連画像は、外部からの情報を含む画像である、請求項１〜請求項９のいずれか１項に記載の医療用診療装置。
【発明の詳細な説明】
【技術分野】
【０００１】
本発明は、医療用診療装置に関する。
【背景技術】
【０００２】
従来から、歯科や医科などの医療分野において診療を行うための医療用診療装置は、診療機器を操作するための操作画像を表示する表示部を備えている。
【０００３】
たとえば、特許文献１に開示された医療用診療装置は、診療機器についての操作内容を操作画像として表示する表示装置を備えている。
【先行技術文献】
【特許文献】
【０００４】
【特許文献１】特許第５５７０８０１号公報
【発明の概要】
【発明が解決しようとする課題】
【０００５】
特許文献１に開示された医療用診療装置では、操作画像が一の画面上の表示領域に表示されているに過ぎないため、この限られた表示領域に表示された画像からでは、ユーザが操作画像を操作する際に必要な情報を十分に得ることが難しく、利便性に欠けていた。
【０００６】
本発明は、上記の課題を解決するためになされたものであり、ユーザが操作画像を操作する際の利便性を向上させる、医療用診療装置を提供することを目的とする。
【課題を解決するための手段】
【０００７】
本発明に係る医療用診療装置は、診療機器を操作するための操作画像を表示する第１表示部と、第１表示部とは異なる位置に設けられかつ当該第１表示部よりも表示領域が大きい第２表示部と、第１表示部に表示された操作画像とは異なる画像であって当該操作画像に関連した関連画像を第２表示部に表示させる表示制御部とを備える。
【０００８】
好ましくは、関連画像は、第１表示部に表示された操作画像に関連した詳細情報を含む画像である。
【０００９】
好ましくは、表示制御部は、第１表示部に表示された操作画像に対するユーザの操作に応じて第２表示部に表示された関連画像を切り替える。
【００１０】
好ましくは、表示制御部は、選択された診療機器の種類に応じて第２表示部に表示された関連画像を切り替える。
【００１１】
好ましくは、関連画像は、ユーザが操作画像を操作する際に必要な情報を含む画像である。
【００１２】
好ましくは、操作画像は、診療機器の機能を設定する際にユーザによって操作される画像であり、関連画像は、ユーザが診療機器の機能を設定する際に必要な情報を含む画像である。
【００１３】
好ましくは、操作画像は、診療機器を手入れする際にユーザによって操作される画像であり、関連画像は、ユーザが診療機器を手入れする際に必要な情報を含む画像である。
【００１４】
好ましくは、表示制御部は、ユーザによる診療機器の手入れ作業が進む度に第２表示部に表示された関連画像を切り替える。
【００１５】
好ましくは、操作画像は、異常が発生した際にユーザによって操作される画像であり、関連画像は、ユーザに異常の発生を知らせる情報を含む画像である。
【００１６】
好ましくは、操作画像は、外部からの情報を取得する際にユーザによって操作される画像であり、関連画像は、外部からの情報を含む画像である。
【発明の効果】
【００１７】
本発明に係る医療用診療装置によれば、操作画像が表示される第１表示部よりも表示領域が大きい第２表示部に操作画像とは異なる画像であって操作画像に関連した関連画像が表示されるため、ユーザが操作画像を操作する際の利便性を向上させることができる。
【図面の簡単な説明】
【００１８】
【図１】医療用診療装置の外観の構成を示す概略図である。
【図２】医療用診療装置の内部の構成を概略的に示すブロック図である。
【図３】非関連モード時における操作モニタおよび表示モニタの表示例を説明するための図である。
【図４】関連モード時における操作モニタおよび表示モニタの表示例を説明するための図である。
【図５】関連モード時における操作モニタおよび表示モニタの表示例を説明するための図である。
【図６】関連モード時における操作モニタおよび表示モニタの表示例を説明するための図である。
【図７】関連モード時における操作モニタおよび表示モニタの表示例を説明するための図である。
【図８】関連モード時における操作モニタおよび表示モニタの表示例を説明するための図である。
【図９】メンテナンスモード時における操作モニタおよび表示モニタの表示例を説明するための図である。
【図１０】メンテナンスモード時における操作モニタおよび表示モニタの表示例を説明するための図である。
【図１１】メンテナンスモード時における操作モニタおよび表示モニタの表示例を説明するための図である。
【図１２】メンテナンスモード時における操作モニタおよび表示モニタの表示例を説明するための図である。
【図１３】メンテナンスモード時における操作モニタおよび表示モニタの表示例を説明するための図である。
【図１４】医療用診療装置が実行する表示制御処理を説明するためのフローチャートである。
【発明を実施するための形態】
【００１９】
本発明に係る実施の形態について、図面を参照しながら説明する。本実施の形態においては、医療用診療装置の１つの例示的形態として、歯科診療に用いることが可能な医療用診療装置について説明する。なお、本実施の形態に係る医療用診療装置は、歯科に限らず、眼科、耳鼻咽喉科、放射線科、および獣医科など、あらゆる医科の診療にも適用することが可能である。また、診療には、診断および治療が含まれる。
【００２０】
[医療用診療装置の基本構成]
図１は、医療用診療装置１０の外観の構成を示す概略図であり、図２は、医療用診療装置１０の内部の構成を概略的に示すブロック図である。
【００２１】
図１および図２に示すように、医療用診療装置１０（以下、診療装置１０とも称する）は、診療椅子１と、フートコントローラ５と、トレーテーブル３と、制御装置２０と、インスツルメントホルダ３０と、操作パネル８と、表示モニタ６と、ベースンユニット２と、照明装置７とを備える。
【００２２】
診療椅子１は、患者の頭を支えるヘッドレスト１ａと、患者の背中を支える背もたれ１ｂと、患者の尾尻を支える座面シート１ｃと、患者の足を支える足置き台１ｄと、シート駆動部１１とを備える。シート駆動部１１は、図示しない基板上に実装されたＣＰＵ（Central Processing Unit）、ＲＯＭ（Read Only Memory）、およびＲＡＭ（Random Access Memory）などによって構成され、ヘッドレスト１ａ、背もたれ１ｂ、座面シート１ｃ、および足置き台１ｄのそれぞれの駆動を制御する。
【００２３】
たとえば、座面シート１ｃは、シート駆動部１１の制御に基づき上昇または下降する。ヘッドレスト１ａ、背もたれ１ｂ、および足置き台１ｄのそれぞれは、シート駆動部１１の制御に基づき座面シート１ｃに対して垂直方向または水平方向に移動する。ヘッドレスト１ａ、背もたれ１ｂ、および足置き台１ｄが座面シート１ｃに対して垂直方向に移動すると、診療椅子１に座った患者が座位姿勢になる。ヘッドレスト１ａ、背もたれ１ｂ、および足置き台１ｄが座面シート１ｃに対して水平方向に移動すると、診療椅子１に座った患者が仰向け姿勢になる。このように、シート駆動部１１は、ヘッドレスト１ａ、背もたれ１ｂ、座面シート１ｃ、および足置き台１ｄを駆動させて診療椅子１の姿勢を変更する機能を有する。
【００２４】
フートコントローラ５は、ユーザの足踏操作を受け付ける複数のスイッチ（ペダル）を有する。ユーザは、これら複数のスイッチそれぞれに対して所定の機能を割り当てることができる。
【００２５】
たとえば、ユーザは、診療椅子１の姿勢を変更する機能をフートコントローラ５のスイッチに対して割り当てることができる。ユーザが、診療椅子１の姿勢を変更する機能が割り当てられたスイッチを足踏操作すると、フートコントローラ５は、シート駆動部１１に制御信号を出力する。シート駆動部１１は、制御信号に基づき、ヘッドレスト１ａ、背もたれ１ｂ、座面シート１ｃ、および足置き台１ｄを駆動させる。
【００２６】
また、ユーザは、後述する診療器具４を駆動する機能をフートコントローラ５のスイッチに対して割り当てることができる。ユーザが、診療器具４を駆動する機能が割り当てられたスイッチを足踏操作すると、フートコントローラ５は、後述する診療器具駆動部１４に制御信号を出力する。診療器具駆動部１４は、制御信号に基づき診療器具４の駆動を制御する。
【００２７】
なお、フートコントローラ５のスイッチには、照明装置７の照明および消灯を制御する機能など、その他の機能を割り当てることもできる。
【００２８】
トレーテーブル３は、診療時の物置台として用いられる。トレーテーブル３は、診療椅子１または床から延びるアーム（図示は省略する）に接続されている。このため、ユーザは、トレーテーブル３を診療椅子１に対して手動で回動、水平移動、および垂直移動させることが可能である。
【００２９】
制御装置２０は、トレーテーブル３の底面に設けられている。制御装置２０には、診療椅子１と、複数の診療器具４と、インスツルメントホルダ３０と、ベースンユニット２と、操作パネル８と、操作モニタ９と、タッチパネル９ａと、表示モニタ６とが接続されている。制御装置２０は、後述するように、メイン制御部１２、診療器具駆動部１４、操作モニタ制御部１３、表示モニタ制御部１５、および保持解除特定部１８を備える。これらの各部は、いずれも、図示しない基板上に実装されたＣＰＵ（Central Processing Unit）、ＲＯＭ（Read Only Memory）、およびＲＡＭ（Random Access Memory）などによって構成される。
【００３０】
診療器具４は、たとえば、エアータ−ビンハンドピース、マイクロモータハンドピース、スケーラ、スリーウェイシリンジ、およびバキュームシリンジなどの歯科診療用のインスツルメントである。なお、診療器具４は、これらに限らず、口腔内カメラ、光重合用照射器、根管長測定器、および根管拡大器などであってもよいし、鏡や注射器など、駆動しない器具であってもよい。
【００３１】
診療装置１０においては、診療器具４ａ〜４ｅの５種類が用いられる。たとえば、診療器具４ａおよび診療器具４ｂは、エアータ−ビンハンドピースである。診療器具４ｃは、マイクロモータハンドピースである。診療器具４ｄは、スケーラである。診療器具４ｅは、スリーウェイシリンジである。
【００３２】
各診療器具４は、インスツルメントホルダ３０によって保持される。診療器具４がインスツルメントホルダ３０から取り出されると、インスツルメントホルダ３０による保持が解除され、診療器具４が選択された状態（被選択状態と称する）になる。
【００３３】
各診療器具４は、制御装置２０が備える診療器具駆動部１４に接続されている。診療器具駆動部１４は、フートコントローラ５に対するユーザの足踏操作に基づき各診療器具４を駆動する。たとえば、ユーザが、フートコントローラ５におけるエアータ−ビンハンドピースを駆動するためのスイッチを足踏操作すると、診療器具駆動部１４は、エアータ−ビンハンドピースのヘッド部に保持される切削工具を回転させる。このように、診療器具駆動部１４は、フートコントローラ５に対するユーザの操作に基づき診療器具４を駆動する機能を有する。
【００３４】
インスツルメントホルダ３０は、各診療器具４を保持する保持部材である。インスツルメントホルダ３０は、制御装置２０が備える保持解除特定部１８を介してメイン制御部１２に接続されている。保持解除特定部１８は、診療器具４に対するインスツルメントホルダ３０による保持が解除されたことを特定するとともに、その特定結果を示す信号をメイン制御部１２に出力する。メイン制御部１２は、保持解除特定部１８からの信号に基づき被選択状態の診療器具４を特定する。
【００３５】
ベースンユニット２は、図１に示すように、診療椅子１の側部に備え付けられている。ベースンユニット２は、本体部２ｄと、排水口が形成された鉢２ａと、コップが載置されるコップ台２ｂと、コップに給水するための給水栓２ｃとを備える。患者は、給水栓２ｃによってコップに給水された水を用いてうがいをすることができる。
【００３６】
図２に示すように、ベースンユニット２は、ベースン制御部１６を備えている。ベースン制御部１６は、診療装置１０で用いられる水の流れを制御する。このように、ベースン制御部１６は、診療装置１０で用いられる水の流れを制御する機能を有する。
【００３７】
さらに、ベースンユニット２は、照明制御部１７を備えている。照明制御部１７は、照明装置７の照明および消灯を制御する。このように、照明制御部１７は、照明装置７の照明および消灯を制御する機能を有する。
【００３８】
図１に示すように、操作パネル８上には、操作モニタ９が設けられている。操作モニタ９は、診療椅子１、各診療器具４、ベースンユニット２、および照明装置７などの診療機器を操作するための操作画像などを表示する。ユーザは、タッチパネル９ａを押圧することで所望の操作画像を選択することができる。たとえば、ユーザは、診療機器を動作させるための操作画像を選択することで、所望の診療機器を動作させることができる。また、ユーザは、診療機器の機能を設定するための操作画像を選択することで、所望の診療機器の機能を設定することができる。なお、診療椅子１、各診療器具４、ベースンユニット２、および照明装置７は、「診療機器」の一実施形態に対応する。
【００３９】
操作モニタ９は、制御装置２０が備える操作モニタ制御部１３を介してメイン制御部１２に接続されている。操作モニタ制御部１３は、メイン制御部１２からの指令に基づき、操作画像などを操作モニタ９に表示させる。これにより、操作モニタ９では、タッチパネル９ａを介して操作画像などが外部から視認可能に表示される。一方、メイン制御部１２は、操作モニタ９に表示された操作画像がユーザによって選択されると、選択された操作画像に基づき、シート駆動部１１、診療器具駆動部１４、ベースン制御部１６、および照明制御部１７などを制御する。
【００４０】
表示モニタ６は、操作モニタ９とは異なる位置に設けられている。本実施の形態においては、図１に示すように、操作モニタ９は、トレーテーブル３に設けられた操作パネル８上に配置されているのに対して、表示モニタ６は、トレーテーブル３から上方に延びるアームに設けられている。
【００４１】
表示モニタ６は、操作モニタ９が有する画面よりも表示領域が大きい画面を有しており、操作モニタ９の表示領域では表示しきれない画像を表示することができる。つまり、表示モニタ６は、操作モニタ９に比べて多くの情報量を表示することができる。表示モニタ６では、操作モニタ９では表示できなかった表示を行うことが可能となる。
【００４２】
たとえば、表示モニタ６は、患者のカルテの画像、根管内での切削工具の先端の位置を示す画像、および口腔内カメラによって撮影された口腔内の画像などを表示する。さらに、表示モニタ６は、操作モニタ９に表示された操作画像と関連する情報を表示することができる。つまり、表示モニタ６は、操作モニタ９に操作画像が表示されると、当該操作画像に関連した関連画像を表示する。関連画像は、操作モニタ９に表示されている操作画像と異なる画像であり、操作モニタ９では表示できなかった情報を含む画像である。たとえば、表示モニタ６は、診療器具４に対応する操作画像に関連した診療器具４の設定画像、照明装置７に対応する操作画像に関連した照明装置７の設定画像、およびフートコントローラ５の各スイッチに対応する操作画像に関連した現在の割り当て状況を表す画像などを関連画像として表示する。なお、表示モニタ６は、上述した画像に加えて、操作モニタ９に表示される画像と同じ画像が表示されてもよい。
【００４３】
表示モニタ６は、制御装置２０が備える表示モニタ制御部１５を介してメイン制御部１２に接続されている。表示モニタ制御部１５は、メイン制御部１２からの指令に基づき、操作モニタ９の表示領域では表示できない画像および操作画像に関連した関連画像などを表示モニタ６に表示させる。
【００４４】
なお、操作モニタ９は、「第１表示部」の一実施形態に対応する。表示モニタ６は、「第２表示部」の一実施形態に対応する。メイン制御部１２および表示モニタ制御部１５は、「表示制御部」の一実施形態に対応する。なお、「表示制御部」は、操作モニタ９に対して操作モニタ制御部１３を、表示モニタ６に対して表示モニタ制御部１５をそれぞれ設ける構成としたが、操作モニタ９および表示モニタ６に対して１つのモニタ制御部を設ける構成でもよい。
【００４５】
[操作モニタおよび表示モニタの表示例]
図３〜図１３を参照しながら、操作モニタ９および表示モニタ６の表示例を説明する。図３〜図１３に示すように、操作モニタ９は、ユーザによって選択される操作画像を表示する。操作モニタ９は、操作画像を、ユーザが視認し易いように表示（以下、点灯ともいう）したり、ユーザが視認し難いように表示（以下、消灯ともいう）したりする。また、表示モニタ６は、操作モニタ９に表示された操作画像に関連した関連画像を表示可能である。
【００４６】
（非関連モード時におけるメニュー画面）
図３は、非関連モード時における操作モニタ９および表示モニタ６の表示例を説明するための図である。本実施の形態においては、ユーザは、表示モニタ６に関連画像が表示される関連モードと、表示モニタ６に関連画像が表示されない非関連モードとのうち、いずれかのモードを選択可能である。図３では、非関連モードに設定されている場合の例を示しており、操作モニタ９にはメニュー画面が表示される一方で、表示モニタ６には関連画像は表示されない。もちろん、非関連モードに設定されている場合であっても、関連画像以外の患者のカルテの画像などは表示モニタ６に表示されることがある。
【００４７】
図３に示すように、操作モニタ９の中央および右側には、８個の操作画像が２段に分かれて表示される。たとえば、操作モニタ９には、上段の左から順に、各診療器具４を選択および設定するための操作画像、時刻を設定するための操作画像、後述するメンテナンスモードを開始するための操作画像、およびユーザ設定を行うための操作画像が表示される。なお、ユーザは、ユーザ設定を行うための操作画像を選択することで、診療器具４の駆動や診療椅子１の姿勢変更などの機能をフートコントローラ５の各スイッチに対して割り当てることができる。また、操作モニタ９には、下段の左から順に、照明装置７を設定するための操作画像、フートコントローラ５のスイッチに所定の機能を割り当てるための操作画像、ＰＣ（personal computer）を設定するための操作画像、および診療椅子１の姿勢を設定するための操作画像が表示される。さらに、操作モニタ９の左側には、上から順に、ホーム画面に移行するための操作画像、ページを切り替えるための操作画像、および関連モードに切り替えるための操作画像ｇ１が表示される。ユーザは、各操作画像を選択することができる。ホーム画面に移行するための操作画像の下には、黒丸印と白丸印とが並んでおり、これは、現在の操作モニタ９による表示は、表示可能な２つのページのうちの１ページ目であることを示す。ページを切り替えるための操作画像が操作されると、ページが１ページ目から２ページ目に切替表示されるとともに、黒丸印は白丸印に、白丸印は黒丸印に切替表示され、切替後のページが表示可能な２つのページのうちの２ページ目であることを示すようになる。
【００４８】
非関連モードに設定されている場合、図３に示すメニュー画面が操作モニタ９に表示されている間、表示モニタ６には、関連画像が表示されない。
【００４９】
（関連モード時におけるメニュー画面）
図４は、関連モード時における操作モニタ９および表示モニタ６の表示例を説明するための図である。図３に示すメニュー画面において、ユーザが、関連モードに切り替えるための操作画像ｇ１を選択すると、関連モードに切り替わる。そして、操作モニタ９では、図４に示すメニュー画面が表示される。
【００５０】
図４に示すように、操作モニタ９の上段には、３個の操作画像が表示されている。たとえば、操作モニタ９には、上段の左から順に、各診療器具４を選択および設定するための操作画像ｇ３、時刻を設定するための操作画像、およびユーザ設定を行うための操作画像が表示される。さらに、操作モニタ９には、下段の左から順に、スーパーインポーズ機能を使用するための画像、および非関連モードに切り替えるための操作画像ｇ２が表示される。なお、スーパーインポーズ機能とは、表示モニタ６に表示される画像に、操作モニタ９に表示される画像を重ねて表示させる機能である。たとえば、スーパーインポーズ機能を用いれば、表示モニタ６に表示されるカルテなどの画像に、操作モニタ９に表示される操作画像が重なるようになる。
【００５１】
関連モードに設定されている場合、図４に示すメニュー画面が操作モニタ９に表示されている間、表示モニタ６には、関連画像として、フートコントローラ５の各スイッチに対する現在の割り当て状況を表す画像が表示される。
【００５２】
ユーザが、非関連モードに切り替えるための操作画像ｇ２を選択すると、非関連モードに切り替わる。そして、操作モニタ９では、図３に示すメニュー画面に画面が再び切り替わる。
【００５３】
このように、ユーザは、関連モードに切り替えるための操作画像ｇ１を選択することで、表示モニタ６に関連画像を表示させることができる。これにより、ユーザが操作画像を選択する際の利便性を向上させることができる。一方、ユーザは、関連画像を表示させる必要がない場合には、非関連モードに切り替えるための操作画像ｇ２を選択することで、表示モニタ６に関連画像を表示させないようにすることができる。
【００５４】
（各診療器具の選択画面）
図５は、関連モード時における操作モニタ９および表示モニタ６の表示例を説明するための図である。特に、図５では、関連モード時において、操作モニタ９に各診療器具４の選択画面が表示される例を示す。
【００５５】
図４に示すメニュー画面において、ユーザが、各診療器具４を選択および設定するための操作画像ｇ３を選択すると、図５に示すように、操作モニタ９では、各診療器具４の選択画面に画面が切り替わる。
【００５６】
図５に示す選択画面には、５個の操作画像が２段に分かれて表示される。たとえば、操作モニタ９には、上段の左から順に、診療器具４ａに対応するエアータ−ビンハンドピースを選択するための操作画像ｇ４、診療器具４ｂに対応するエアータ−ビンハンドピースを選択するための操作画像、および診療器具４ｃに対応するマイクロモータハンドピースを選択するための操作画像ｇ５が表示される。また、操作モニタ９には、下段の左から順に、診療器具４ｄに対応するスケーラを選択するための操作画像ｇ６、および診療器具４ｅに対応するスリーウェイシリンジを選択するための操作画像が表示される。もちろん、ここで示す５個の操作画像が２段に分かれて表示される構成は、あくまで一実施例であって、３個の操作画像が１段に表示される場合や、６個の操作画像が３個ずつ１段目と２段目とに分かれて表示される場合も、装置の仕様に応じてあり得る。
【００５７】
ユーザは、各操作画像を選択することで、選択した操作画像に対応する診療器具４を選択して被選択状態にすることができる。そして、ユーザは、選択した診療器具４の設定画面を操作モニタ９に表示させることができる。また、ユーザは、診療器具４をインスツルメントホルダ３０から取り出して、インスツルメントホルダ３０による保持から診療器具４を解除することによっても診療器具４を被選択状態にすることができる。この場合であっても、選択された診療器具４の設定画面が操作モニタ９に表示される。
【００５８】
一方、図５に示す選択画面が操作モニタ９に表示されている間、表示モニタ６には、関連画像として、フートコントローラ５の各スイッチに対する現在の割り当て状況を表す画像が表示される。
【００５９】
（エアータ−ビンハンドピースの設定画面）
図６は、関連モード時における操作モニタ９および表示モニタ６の表示例を説明するための図である。特に、図６では、関連モード時において、操作モニタ９にエアータ−ビンハンドピースの設定画面が表示される例を示す。
【００６０】
図５に示す各診療器具４の選択画面において、ユーザが、エアータ−ビンハンドピースを選択するための操作画像ｇ４を選択したり、エアータ−ビンハンドピースをインスツルメントホルダ３０から取り出したりすると、エアータ−ビンハンドピースを被選択状態にすることができる。この場合、図６に示すように、操作モニタ９では、エアータ−ビンハンドピースの設定画面に画面が切り替わる。さらに、表示モニタ６では、関連画像として、エアータ−ビンハンドピースの各設定に関する画像が表示される。
【００６１】
図６に示すエアータ−ビンハンドピースの設定画面には、エアータ−ビンハンドピースの先端部に設けられたハンドピース（「ＨＰ」。以下、同様。）注水部を設定するための操作画像ｇ２０、エアータ−ビンハンドピースの先端部に設けられたＨＰライトを設定するための操作画像ｇ２１、およびエアータ−ビンハンドピースの回転速度のモードを切り替えるための操作画像ｇ２２が表示される。
【００６２】
ユーザは、操作画像ｇ２０を選択すると、ＨＰ注水部による注水のＯＮとＯＦＦとを切り替えることができる。図６に示す例では、ＨＰ注水部による注水がＯＮ状態であり、操作画像ｇ２０が点灯している。ユーザは、操作画像ｇ２１を選択すると、ＨＰライトによる点灯のＯＮとＯＦＦとを切り替えることができる。図６に示す例では、ＨＰライトがＯＮ状態であり、操作画像ｇ２１が点灯している。ユーザは、操作画像ｇ２２を選択すると、エアータ−ビンハンドピースの回転速度を、一定速モード（先端の切削工具が予め決められた一定の速度で回転するモード）と可変速モード（たとえば、ユーザによるフートコントローラ５の踏み込み量に応じた速度で先端の切削工具が回転するモード）とで切り替えることができる。図６に示す例では、エアータ−ビンハンドピースの回転速度が一定速モードに設定されており、操作画像ｇ２２が一定速モードに設定中である旨を「Fixed」という語で表している。
【００６３】
ここで、図６に示す操作画像ｇ２０〜ｇ２２のみでは、各操作画像がどのような機能を表しているのかについて、ユーザが十分に理解できない場合もある。そこで、図６に示す画面が操作モニタ９に表示されている間、表示モニタ６には、関連画像として、各操作画像ｇ２０〜ｇ２２をユーザが選択する際に必要な情報を含む画像Ｇ２０〜Ｇ２２が表示される。
【００６４】
たとえば、画像Ｇ２０は、操作画像ｇ２０と関連し、操作画像ｇ２０が示す機能および設定中のＨＰ注水部のＯＮ／ＯＦＦ状態を説明する画像である。図６に示す例では、ＨＰ注水部がＯＮ状態である旨およびエアータ−ビンハンドピースの回転中に水が出る旨を説明する画像Ｇ２０が表示される。画像Ｇ２１は、操作画像ｇ２１と関連し、操作画像ｇ２１が示す機能および設定中のＨＰライトのＯＮ／ＯＦＦ状態を説明する画像である。図６に示す例では、ＨＰライトがＯＮ状態である旨およびエアータ−ビンハンドピースの回転中にＨＰライトが点灯する旨を説明する画像Ｇ２１が表示される。画像Ｇ２２は、操作画像ｇ２２と関連し、操作画像ｇ２２が示す機能および設定中のエアータ−ビンハンドピースの回転速度の一定速／可変速モードを説明する画像である。図６に示す例では、エアータ−ビンハンドピースの回転速度が一定速モードである旨およびペダルを踏むと先端の切削工具がエアータ−ビンハンドピースの性能に応じた最高速で回転する旨を説明する画像Ｇ２２が表示される。
【００６５】
（マイクロモータハンドピースの設定画面）
図７は、関連モード時における操作モニタ９および表示モニタ６の表示例を説明するための図である。特に、図７では、関連モード時において、操作モニタ９にマイクロモータハンドピースの設定画面が表示される例を示す。
【００６６】
図５に示す各診療器具４の選択画面において、ユーザが、マイクロモータハンドピースを選択するための操作画像ｇ５を選択したり、マイクロモータハンドピースをインスツルメントホルダ３０から取り出したりすると、マイクロモータハンドピースを被選択状態にすることができる。この場合、図７に示すように、操作モニタ９では、マイクロモータハンドピースの設定画面に画面が切り替わる。さらに、表示モニタ６では、関連画像として、マイクロモータハンドピースの各設定に関する画像が表示される。
【００６７】
図７に示すマイクロモータハンドピースの設定画面には、マイクロモータハンドピースの先端部に設けられたＨＰ注水部を設定するための操作画像ｇ２３、マイクロモータハンドピースの先端部に設けられたＨＰライトを設定するための操作画像ｇ２４、マイクロモータハンドピースの回転速度のモードを切り替えるための操作画像ｇ２５、マイクロモータハンドピースの回転方向のモードを切り替えるための操作画像ｇ２６、およびマイクロモータハンドピースの回転数のレンジを切り替えるための操作画像ｇ２７が表示される。
【００６８】
ユーザは、操作画像ｇ２３を選択すると、ＨＰ注水部による注水のＯＮとＯＦＦとを切り替えることができる。図７に示す例では、ＨＰ注水部による注水がＯＦＦ状態であり、操作画像ｇ２３が消灯している。ユーザは、操作画像ｇ２４を選択すると、ＨＰライトによる点灯のＯＮとＯＦＦとを切り替えることができる。図７に示す例では、ＨＰライトがＯＦＦ状態であり、操作画像ｇ２４が消灯している。ユーザは、操作画像ｇ２５を選択すると、マイクロモータハンドピースの回転速度を、一定速モードと可変速モードとで切り替えることができる。図７に示す例では、マイクロモータハンドピースの回転速度が一定速モードに設定されており、操作画像ｇ２５が一定速モードに設定中である旨を「Fixed」という語で表している。ユーザは、操作画像ｇ２６を選択すると、マイクロモータハンドピースの回転方向を、正転モード（先端の切削工具が工具先端に向かって時計回りに回転するモード）と逆転モード（先端の切削工具が工具先端に向かって反時計回りに回転するモード）とで切り替えることができる。図７に示す例では、マイクロモータハンドピースの回転方向が逆転モードに設定されており、操作画像ｇ２６が逆転モードに設定中である旨を「ACW（Anti-ClockWise）」という語で表している。ユーザは、操作画像ｇ２７を選択すると、マイクロモータハンドピースの回転数のレンジを、ＵＬ（Ultra Low）モード、Ｌ（Low）モード、Ｍ（Middle）モード、およびＨ（High）モードの中から選択することができる。図７に示す例では、マイクロモータハンドピースの回転数のレンジがＬモードに設定されており、操作画像ｇ２７がＬモードに設定中である旨を表している。
【００６９】
ここで、図７に示す操作画像ｇ２３〜ｇ２７のみでは、各操作画像がどのような機能を表しているのかについて、ユーザが十分に理解できない場合もある。そこで、図７に示す画面が操作モニタ９に表示されている間、表示モニタ６には、関連画像として、各操作画像ｇ２３〜ｇ２７をユーザが押圧する際に必要な情報を含む画像Ｇ２３〜Ｇ２７が表示される。
【００７０】
たとえば、画像Ｇ２３は、操作画像ｇ２３と関連し、操作画像ｇ２３が示す機能および設定中のＨＰ注水部のＯＮ／ＯＦＦ状態を説明する画像である。図７に示す例では、ＨＰ注水部がＯＦＦ状態である旨およびマイクロモータハンドピースの回転中に水が出ない旨を説明する画像Ｇ２３が表示される。画像Ｇ２４は、操作画像ｇ２４と関連し、操作画像ｇ２４が示す機能および設定中のＨＰライトのＯＮ／ＯＦＦ状態を説明する画像である。図７に示す例では、ＨＰライトがＯＦＦ状態である旨およびマイクロモータハンドピースの回転中にＨＰライトが消灯している旨を説明する画像Ｇ２４が表示される。画像Ｇ２５は、操作画像ｇ２５と関連し、操作画像ｇ２５が示す機能および設定中のマイクロモータハンドピースの回転速度の一定速／可変速モードを説明する画像である。図７に示す例では、マイクロモータハンドピースの回転速度が一定速モードである旨およびペダルを踏むと先端の切削工具がマイクロモータハンドピースの性能に応じた最高速で回転する旨を説明する画像Ｇ２５が表示される。画像Ｇ２６は、操作画像ｇ２６と関連し、操作画像ｇ２６が示す機能および設定中のマイクロモータハンドピースの回転方向の正転／逆転モードを説明する画像である。図７に示す例では、マイクロモータハンドピースの回転方向が逆転モードである旨および先端の切削工具が工具先端に向かって反時計回りで回転する旨を説明する画像Ｇ２６が表示される。画像Ｇ２７は、操作画像ｇ２７と関連し、操作画像ｇ２７が示す機能および設定中のマイクロモータハンドピースの回転数のレンジを説明する画像である。図７に示す例では、マイクロモータハンドピースの回転数がＬモード設定で回転する旨を説明する画像Ｇ２７が表示される。
【００７１】
（スケーラの設定画面）
図８は、関連モード時における操作モニタ９および表示モニタ６の表示例を説明するための図である。特に、図８では、関連モード時において、操作モニタ９にスケーラの設定画面が表示される例を示す。
【００７２】
図５に示す各診療器具４の選択画面において、ユーザが、スケーラを選択するための操作画像ｇ６を選択したり、スケーラをインスツルメントホルダ３０から取り出したりすると、スケーラを被選択状態にすることができる。この場合、図８に示すように、操作モニタ９では、スケーラの設定画面に画面が切り替わる。さらに、表示モニタ６では、関連画像として、スケーラの各設定に関する画像が表示される。
【００７３】
図８に示すスケーラの設定画面には、スケーラの先端部に設けられたＨＰ注水部を設定するための操作画像ｇ２８、スケーラの先端部に設けられたＨＰライトを設定するための操作画像ｇ２９、ＲＣＭ（root canal Measurement）連動モード（根管長を測定しながらスケーラで治療できるモード）を設定するための操作画像ｇ３０、およびスケーラの振動レベルを切り替えるための操作画像ｇ３１が表示される。
【００７４】
ユーザは、操作画像ｇ２８を選択すると、ＨＰ注水部による注水のＯＮとＯＦＦとを切り替えることができる。図８に示す例では、ＨＰ注水部による注水がＯＦＦ状態であり、操作画像ｇ２８が消灯している。ユーザは、操作画像ｇ２９を選択すると、ＨＰライトによる点灯のＯＮとＯＦＦとを切り替えることができる。図８に示す例では、ＨＰライトがＯＦＦ状態であり、操作画像ｇ２９が消灯している。ユーザは、操作画像ｇ３０を選択すると、ＲＣＭ連動モードのＯＮとＯＦＦとを切り替えることができる。図８に示す例では、ＲＣＭ連動モードがＯＮ状態であり、操作画像ｇ３０が点灯している。ユーザは、操作画像ｇ３１を選択すると、スケーラの振動レベルを切り替えることができる。たとえば、ユーザは、操作画像ｇ３１のうち、「＋」の操作画像を選択するとスケーラの振動レベルを上げることができ、「−」の操作画像を選択するとスケーラの振動レベルを下げることができる。設定されたスケーラの振動レベルは、画像ｇ３２で表される。
【００７５】
ここで、図８に示す操作画像ｇ２８〜ｇ３１のみでは、各操作画像がどのような機能を表しているのかについて、ユーザが十分に理解できない場合もある。そこで、図８に示す画面が操作モニタ９に表示されている間、表示モニタ６には、関連画像として、各操作画像ｇ２８〜ｇ３１をユーザが押圧する際に必要な情報を含む画像Ｇ２８〜Ｇ３２が表示される。
【００７６】
たとえば、画像Ｇ２８は、操作画像ｇ２８と関連し、操作画像ｇ２８が示す機能および設定中のＨＰ注水部のＯＮ／ＯＦＦ状態を説明する画像である。図８に示す例では、ＨＰ注水部がＯＦＦ状態である旨およびスケーラの駆動中に水が出ない旨を説明する画像Ｇ２８が表示される。画像Ｇ２９は、操作画像ｇ２９と関連し、操作画像ｇ２９が示す機能および設定中のＨＰライトのＯＮ／ＯＦＦ状態を説明する画像である。図８に示す例では、ＨＰライトがＯＦＦ状態である旨およびスケーラの駆動中にＨＰライトが消灯している旨を説明する画像Ｇ２９が表示される。画像Ｇ３０は、操作画像ｇ３０と関連し、操作画像ｇ３０が示す機能および設定中のＲＣＭ連動モードのＯＮ／ＯＦＦ状態を説明する画像である。図８に示す例では、ＲＣＭ連動モードがＯＮ状態である旨を説明する画像Ｇ３０が表示される。画像Ｇ３１は、操作画像ｇ３１と関連し、操作画像ｇ３１によって設定されたスケーラの振動レベルを表す画像Ｇ３１が表示される。なお、画像Ｇ３２は、操作画像ｇ３２と同じように設定中のスケーラの振動レベルを表す。
【００７７】
このように、図５に示す各診療器具４の選択画面において、ユーザが、所望の診療器具４に対応する操作画像を選択することで、ユーザが選択した診療器具４に対応する設定画面が操作モニタ９に表示される。そして、ユーザによる操作画像の選択に応じて、ユーザにより選択された診療器具４に対応する画面に表示モニタ６の画面も切り替わる。すなわち、選択された診療器具４の種類に応じて、表示モニタ６に表示された関連画像も切り替わる。これにより、ユーザは操作画像の選択による診療器具４の選択が診療装置１０によって認識されたことを確認することができる。
【００７８】
また、操作モニタ９に各診療器具４の設定画面が表示されている間、操作モニタ９に表示された操作画像に関連する関連画像が表示モニタ６に表示される。たとえば、図６に示すエアータ−ビンハンドピースの設定画面が操作モニタ９に表示されている間、エアータ−ビンハンドピースが有する機能であるＨＰ注水部による注水機能、ＨＰライトによる点灯機能、およびエアータ−ビンハンドピースの回転速度の変更機能のそれぞれの操作画像に関連した詳細情報が関連画像として表示モニタ６に表示される。たとえば、詳細情報として、画像Ｇ２０ではエアータ−ビンハンドピースの回転中に水が出る旨が表され、画像Ｇ２１ではエアータ−ビンハンドピースの回転中にＨＰライトが点灯している旨が表され、画像Ｇ２２ではペダルを踏むと先端の切削工具がエアータ−ビンハンドピースの性能に応じた最高速で回転する旨が表される。これらの詳細情報は、ユーザが診療装置１０の機能を設定する際に必要な情報である。これにより、ユーザは、操作画像を選択する際に必要な情報を十分に得ることができる。
【００７９】
（メンテナンスモード時の画面）
図９〜図１３は、メンテナンスモード時における操作モニタおよび表示モニタの表示例を説明するための図である。メンテナンスモードとは、たとえば、歯科診療用のインスツルメントである診療器具４に溜まった残留水、および診療装置１０内に溜まった残留水などを排出（フラッシングともいう）し、同時にサライバエジェクタ（排唾管）やバキュームチップなどの歯科診療をアシストするためのアシスト用インスツルメントに水を流し込んで洗浄するためのモードである。また、メンテナンスモードとは、たとえば、診療装置１０内の水管路や各種インスツルメントに洗浄液を満たすことで、水管路を清潔に保つ（管路クリーンシステムともいう）ためのモードである。
【００８０】
図９に示すように、操作モニタ９に表示されたメニュー画面において、ユーザが、メンテナンスモードを開始するための操作画像ｇ５０を選択すると、図１０に示すように、メンテナンスモードの選択画面に画面が切り替わる。
【００８１】
図１０に示す画面には、各インスツルメントの残留水排出および洗浄を自動的に実行する自動洗浄モードを開始するための操作画像ｇ５１、洗浄液を用いた管路クリーンシステムを起動するための操作画像などが表示される。
【００８２】
図１０に示すメンテナンスモードの選択画面において、ユーザが、操作画像ｇ５１を選択すると、図１１に示すように、操作モニタ９では、メンテナンスモードにおける進行手順を表す画面に画面が切り替わる。さらに、表示モニタ６では、関連画像として、メンテナンスモードにおける進行手順を詳細に表す画像が表示される。本実施の形態においては、メンテナンスモードが選択されると、強制的に関連モードに設定され、表示モニタ６に関連画像が表示される。なお、メンテナンスモードが選択されても、関連モードと非関連モードとをユーザが選択できるものであってもよい。
【００８３】
ここで、通常、メンテナンスモードにおける詳細な進行手順は診療装置１０の取扱説明書に記載されており、ユーザは、操作モニタ９に表示された画像から得られる情報のみでは完全に進行手順を理解することは難しい。そこで、以下で説明するように、操作モニタ９にメンテナンスモードにおける進行手順を表す画像が表示されている間、表示モニタ６には、関連画像として、操作モニタ９に表示された画像に連動して、取扱説明書に記載されるようなメンテナンスモードにおける詳細な進行手順を説明する画像が表示される。
【００８４】
図１１に示すように、操作モニタ９には、コップ台２ｂにコップを載置する旨を記号で示す画像ｇ６１が表示される。さらに、操作モニタ９には、現在のページを表す画像５２、およびページを切り替えるための操作画像５３，５４などが表示される。
【００８５】
一方、図１１に示す画面が操作モニタ９に表示されている間、表示モニタ６には、関連画像として、ベースンユニット２の鉢２ａを表す画像Ｇ２ａ、コップ台２ｂを表す画像Ｇ２ｂ、および自動フラッシングを行うためのフラッシング装置を表す画像Ｇ８０が表示される。そして、このようなベースンユニット２の鉢２ａを表す画像Ｇ２ａを利用して、コップ台２ｂにコップを載置する旨を促す画像Ｇ６１が表示モニタ６に表示される。
【００８６】
図１１に示す画面において、ユーザが、操作画像ｇ５３を選択すると、図１２に示すように、メンテナンスの手順を表す次のページに切り替わる。
【００８７】
図１２に示すように、操作モニタ９には、診療器具４をフラッシング装置に挿入する旨を記号で示す画像ｇ６２、アシスト用インスツルメントを洗浄装置に挿入する旨を記号で示す画像ｇ６３、および自動フラッシングを開始するための操作画像ｇ６５などが表示される。自動フラッシングを開始するための操作画像ｇ６５は、全ての診療器具４およびアシスト用インスツルメントがフラッシング装置や洗浄装置に挿入されない場合、消灯しており、ユーザによる選択が検出されない。
【００８８】
一方、図１２に示す画面が操作モニタ９に表示されている間、表示モニタ６には、関連画像として、ベースンユニット２の鉢２ａを表す画像Ｇ２ａ、コップ台２ｂを表す画像Ｇ２ｂ、および鉢２ａに取り付けられたフラッシング装置を表す画像Ｇ８０が表示される。そして、このようなベースンユニット２の鉢２ａを表す画像Ｇ２ａを利用して、各診療器具４を鉢２ａに取り付けられたフラッシング装置に挿入する旨を促す画像Ｇ７０が表示モニタ６に表示される。ユーザがフラッシング装置に診療器具４を挿入していない場合、当該診療器具４に対応する画像は白色で表示される（たとえば、画像Ｇ７１参照）。ユーザが、フラッシング装置に診療器具４を挿入した場合、当該診療器具４に対応する画像の色が白色から他の色へ変化する（たとえば、画像Ｇ７２参照）。
【００８９】
また、図１２に示す画面が操作モニタ９に表示されている間、表示モニタ６では、所定期間ごと（たとえば、５秒間ごと）に画面が切り替わる。上側に示す表示モニタ６では、関連画像として、ベースンユニット２の本体部２ｄを表す画像Ｇ２ｄ、および本体部２ｄの内部に設けられた洗浄装置を表す画像Ｇ９０が表示される。そして、このようなベースンユニット２の本体部２ｄを表す画像Ｇ２ｄを利用して、アシスト用インスツルメントを本体部２ｄの内部に設けられた水を流し込む洗浄装置に挿入する旨を促す画像Ｇ７３が表示モニタ６に表示される。ユーザが洗浄装置にアシスト用インスツルメントを挿入していない場合、当該アシスト用インスツルメントに対応する画像は白色で表示される（たとえば、画像Ｇ７４参照）。ユーザが洗浄装置にアシスト用インスツルメントを挿入した場合、当該アシスト用インスツルメントに対応する画像の色が白色から他の色へ変化する（たとえば、画像Ｇ７５参照）。
【００９０】
図１３に示すように、ユーザが、コップ台２ｂにコップを載置すると、表示モニタ６では、コップの画像の色が白色から他の色へ変化する（たとえば、画像Ｇ７６参照）。さらに、ユーザが、全ての診療器具４およびアシスト用インスツルメントをフラッシング装置および洗浄装置に挿入すると、表示モニタ６では、全ての診療器具４およびアシスト用インスツルメントの画像の色が白色から他の色へ変化する。さらに、操作モニタ９では、自動フラッシングを開始するための操作画像ｇ６５が点灯し、ユーザによる選択が検出できるようになる。このような状態でユーザが操作画像ｇ６５を選択すると、自動フラッシングおよび水洗浄が開始する。
【００９１】
このように、メンテナンスモードにおける進行手順を表す操作画像が操作モニタ９に表示されている間、操作モニタ９に表示された操作画像に関連する関連画像が表示モニタ６に表示される。たとえば、図１１に示すように、コップ台２ｂにコップを載置する旨を記号で示す画像ｇ６１が操作モニタ９に表示されている間、表示モニタ６には、ユーザが視覚を通じて理解し易いように、コップ台２ｂにコップを載置する旨を促す画像Ｇ６１が表示される。また、図１２に示すように、操作モニタ９に、診療器具４をフラッシング装置に挿入する旨を記号で示す画像ｇ６２、およびアシスト用インスツルメントを洗浄装置に挿入する旨を記号で示す画像ｇ６３が表示されている間、表示モニタ６には、ユーザが視覚を通じて理解し易いように、各診療器具４をフラッシング装置に挿入する旨を促す画像Ｇ７０、およびアシスト用インスツルメントを洗浄装置に挿入する旨を促す画像Ｇ７３が表示される。このように、ユーザが診療器具４やアシスト用インスツルメントを手入れする際に必要な情報がユーザが視覚を通じて理解し易いように表示モニタ６に表示されるため、ユーザは診療器具４やアシスト用インスツルメントを手入れする際に必要な情報を確認することができる。
【００９２】
また、図１２に示すように、ユーザによって診療器具４がフラッシング装置に挿入され、また、アシスト用インスツルメントが洗浄装置に挿入される度に、表示モニタ６に表示される画像が切り替わる。そして、図１３に示すように、全ての診療器具４およびアシスト用インスツルメントがフラッシング装置や洗浄装置に挿入されると、操作モニタ９では、自動洗浄を開始するための操作画像ｇ６５が点灯し、ユーザによる選択によって自動洗浄が開始される。このように、ユーザによる診療器具４およびアシスト用インスツルメントの手入れ作業（フラッシングおよび洗浄作業）が進む度に表示モニタ６に表示された関連画像が切り替わるため、ユーザは診療器具４およびアシスト用インスツルメントの手入れ作業の進行度合を認識することができる。
【００９３】
[表示制御処理]
図１４を参照しながら、診療装置１０が実行する表示制御処理について説明する。図１４は、診療装置１０が実行する表示制御処理を説明するためのフローチャートである。なお、図１４に示す表示制御処理は、診療装置１０が備えるメイン制御部１２によって、周期的（たとえば、１００ｍｓｅｃごと）に実行される。
【００９４】
図１４に示すように、診療装置１０は、操作モニタ９上でのユーザによる押圧を検出したか否かを判定する（Ｓ１）。診療装置１０は、操作モニタ９上での押圧を検出した場合（Ｓ１でＹＥＳ）、当該押圧検出に基づき操作モニタ９に表示された画像および表示モニタ６に表示された画像を切り替える（Ｓ２）。具体的には、メイン制御部１２は、操作モニタ制御部１３を制御して、操作モニタ９上で操作画像を点灯させたり消灯させたりする。また、メイン制御部１２は、操作モニタ制御部１３を制御して、操作モニタ９に表示された画像を変更させて、画面を切り替えさせたりページを切り替えさせたりする。また、メイン制御部１２は、表示モニタ制御部１５を制御して、操作モニタ９に表示された操作画像に関連した関連画像を表示モニタ６に表示させる。その後、診療装置１０は、本ルーチンを終了する。
【００９５】
一方、診療装置１０は、操作モニタ９上での押圧を検出しない場合（Ｓ１でＮＯ）、いずれかの診療器具４がインスツルメントホルダ３０による保持から解除されたか否かを判定する（Ｓ３）。具体的には、メイン制御部１２は、いずれかの診療器具４がインスツルメントホルダ３０による保持から解除されたことを特定する信号を保持解除特定部１８から受信したか否かを判定する。
【００９６】
診療装置１０は、いずれかの診療器具４がインスツルメントホルダ３０による保持から解除されていない場合（Ｓ３でＮＯ）、本ルーチンを終了する。一方、診療装置１０は、いずれかの診療器具４がインスツルメントホルダ３０による保持から解除された場合（Ｓ３でＹＥＳ）、保持解除された診療器具４の種類に基づき操作モニタ９に表示された操作画像および表示モニタ６に表示された関連画像を切り替える（Ｓ４）。具体的には、メイン制御部１２は、操作モニタ制御部１３を制御して、操作モニタ９上で、保持解除された診療器具４に対応する画面に切り替えて当該診療器具４に対応する操作画像を表示させる。また、メイン制御部１２は、表示モニタ制御部１５を制御して、操作モニタ９に表示された操作画像に関連した関連画像を表示モニタ６に表示させる。その後、診療装置１０は、本ルーチンを終了する。
【００９７】
以上のように、診療装置１０が表示制御処理を実行することで、操作画像が表示される操作モニタ９よりも表示領域が大きい表示モニタ６に操作画像に関連した関連画像を表示させることができる。これにより、ユーザが操作画像を操作する際の利便性を向上させることができる。
【００９８】
［変形例］
本発明は、上記の実施例に限られず、さらに種々の変形、応用が可能である。以下、本発明に適用可能な変形例について説明する。
【００９９】
本実施の形態においては、診療装置１０が操作モニタ９を１つ備えていたが、診療装置１０が操作モニタ９を複数備えていてもよい。また、本実施の形態においては、診療装置１０が表示モニタ６を１つ備えていたが、診療装置１０が表示モニタ６を複数備えていてもよい。このように構成した場合、いずれかの操作モニタ９に表示された操作画像に関連する関連画像がいずれかの表示モニタ６に表示されてもよいし、いずれかの操作モニタ９に表示された操作画像に関連する関連画像が全ての表示モニタ６に表示されてもよい。
【０１００】
また、表示モニタ６のように、物理的な画面を有するものに限らず、メガネ型の表示部のように、ユーザが装着することで、レンズを通して操作モニタ９よりも大きい表示領域がユーザの視覚に入るものであってもよい。このようなウェアラブル型の表示部であっても、操作モニタ９に表示された操作画像に関連する関連画像がユーザが視認可能な表示領域に表示されてもよい。
【０１０１】
操作モニタ９には、診療装置１０に異常が発生した際にユーザによって操作される操作画像が表示されてもよい。そして、表示モニタ６には、その操作画像に関連する関連画像として、ユーザに異常の発生を知らせる情報を含む画像が表示されてもよい。たとえば、診療装置１０に異常が発生したときに、異常が発生した旨および発生した異常の種類を通知するための操作画像が操作モニタ９に表示され、ユーザがその操作画像を選択すると、異常が発生した旨および発生した異常の種類など発生した異常の詳細な情報を含む画像が表示モニタ６に表示されてもよい。このようにすれば、ユーザは、操作モニタ９に表示された操作画像を選択することで、発生した異常の詳細な情報を含む画像を表示モニタ６に表示させることができ、異常の発生を詳細に確認することができる。
【０１０２】
診療装置１０は、安全性が確保された回線を通じてインターネットに接続され、外部から耳寄りなお知らせなどの情報を取得するようにしてもよい。また、操作モニタ９には、外部からの情報を取得する際にユーザによって操作される操作画像が表示されてもよい。そして、表示モニタ６には、その操作画像に関連する関連画像として、外部から取得された情報を含む画像が表示されてもよい。たとえば、診療装置１０が外部から情報を取得したときに、外部からの情報を取得する際にユーザによって操作される操作画像が操作モニタ９に表示され、ユーザがその操作画像を選択すると、外部から取得された耳寄りなお知らせ情報（たとえば、メーカからの新製品の情報、ソフトウェアの更新情報など）を含む画像が表示モニタ６に表示されてもよい。このようにすれば、ユーザは、操作モニタ９に表示された操作画像を選択することで、外部から取得された耳寄りなお知らせ情報を含む画像を表示モニタ６に表示させることができ、外部からの情報を確認することができる。
【０１０３】
本実施の形態においては、たとえば、図６〜図８に示すように、操作モニタ９に表示された操作画像が表す機能の設定状態と同じ状態を表す関連画像が表示モニタ６に表示されていた。たとえば、ＨＰ注水部による注水がＯＮ状態である場合、操作モニタ９に表示された操作画像は点灯し、表示モニタ６に表示された関連画像も点灯していた。そして、表示モニタ６に表示された関連画像は、ＨＰ注水部がＯＮ状態である旨および診療器具４の回転中に水が出る旨を表していた。一方、ＨＰ注水部による注水がＯＦＦ状態である場合、操作モニタ９に表示された操作画像は消灯し、表示モニタ６に表示され関連画像も消灯していた。そして、表示モニタ６に表示された関連画像は、ＨＰ注水部がＯＦＦ状態である旨および診療器具４の回転中に水が出ない旨を表していた。しかし、操作モニタ９に表示された操作画像が表す機能の設定状態と異なる状態を表す関連画像が表示モニタ６に表示されてもよい。
【０１０４】
たとえば、ＨＰ注水部による注水がＯＮ状態である場合、操作モニタ９に表示された操作画像は点灯する一方で、表示モニタ６に表示された関連画像は消灯してもよい。そして、表示モニタ６に表示された関連画像は、ＨＰ注水部をＯＦＦ状態にすると診療器具４の回転中に水が出ない旨を表してもよい。つまり、ユーザが操作画像を選択することで、ＨＰ注水部がＯＦＦ状態になり、診療器具４の回転中に水が出なくなる旨を説明する関連画像が表示モニタ６に表示されてもよい。一方、ＨＰ注水部による注水がＯＦＦ状態である場合、操作モニタ９に表示された操作画像は消灯する一方で、表示モニタ６に表示された関連画像は点灯していてもよい。そして、表示モニタ６に表示された関連画像は、ＨＰ注水部をＯＮ状態にすると診療器具４の回転中に水が出る旨を表してもよい。つまり、ユーザが操作画像を選択することで、ＨＰ注水部がＯＮ状態になり、診療器具４の回転中に水が出るようになる旨を説明する関連画像が表示モニタ６に表示されてもよい。
【０１０５】
もしくは、ＨＰ注水部による注水がＯＮ状態であるか否かにかかわらず、表示モニタ６に表示された関連画像は常に点灯していてもよい。そして、表示モニタ６に表示された関連画像は、ＨＰ注水部をＯＮ状態にすると診療器具４の回転中に水が出る旨を常に表してもよい。
【０１０６】
本実施の形態においては、病院などに設置される医療用診療装置が備える操作パネルについて例示したが、このような備え付けの医療用診療装置に限らず、持ち運び可能な携帯型の医療用診療装置が備える操作パネルに対しても本発明を適用することもできる。また、本実施の形態においては、医療用診療装置が備える表示モニタについて例示したが、このような備え付けの表示モニタに限らず、持ち運び可能な携帯型の表示端末を、本発明における表示モニタとすることもできる。
【０１０７】
なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【０１０８】
１  診療椅子、２  ベースンユニット、３  トレーテーブル、４  診療器具、５  フートコントローラ、６  表示モニタ、７  照明装置、８  操作パネル、９  操作モニタ、９ａ  タッチパネル、１０  医療用診療装置、１１  シート駆動部、１２  メイン制御部、１３  操作モニタ制御部、１４  診療器具駆動部、１５  表示モニタ制御部、１６  ベースン制御部、１７  照明制御部、１８  保持解除特定部、２０  制御装置、３０  インスツルメントホルダ。
【図１】
2018061690.tif 000003
【図２】
2018061690.tif 000004
【図３】
2018061690.tif 000005
【図４】
2018061690.tif 000006
【図５】
2018061690.tif 000007
【図６】
2018061690.tif 000008
【図７】
2018061690.tif 000009
【図８】
2018061690.tif 000010
【図９】
2018061690.tif 000011
【図１０】
2018061690.tif 000012
【図１１】
2018061690.tif 000013
【図１２】
2018061690.tif 000014
【図１３】
2018061690.tif 000015
【図１４】
2018061690.tif 000016